(57)【特許請求の範囲】
【請求項１】
無線機を備えた移動局と基地局とから構成される配車管理システムの前記移動局に搭載され、前記基地局からの通信内容を録音・再生する録音・再生装置において、
前記移動局が、
前記基地局から前記移動局への選択呼出しに対する応答を表わす信号を出力する第１手段と、
自局が選択された場合のみにオーディオ・ミュートの解除を表わす信号を出力する第２手段と、
前記無線機のスケルチの開閉を表わす信号を出力する第３手段と、
遅延回路とを備え、
前記第１手段〜第３手段の出力がすべてアクティブ・レベルになった時録音実行信号を出力して録音を開始し、
前記第１手段〜第３手段の出力がすべてアクティブ・レベルになっている間録音を行い、
前記第１手段〜第３手段の出力のうちいずれかが短時間アクティブ・レベルでなくなった場合でも、前記遅延回路が、前記録音実行信号の出力レベルを前記第１手段〜第３手段の出力がすべてアクティブ・レベルの時と同一のレベルに維持して録音を継続することを特徴とする録音・再生装置。
【発明の詳細な説明】
【０００１】
【発明の属する技術分野】
本発明は配車管理システムの移動局に搭載され、基地局からの通信内容を録音・再生する録音・再生装置に関する。
【０００２】
【従来の技術】
図４はタクシーの配車管理システム（以下ＡＶＭという）の構成を示す図である。
ＡＶＭは複数のタクシーからなる移動局１００とタクシー会社の指令室となる基地局２００とから構成されている。
基地局２００は指令を出すコンピュータ（以下ＰＣという）５０と、このＰＣ５０と基地局用無線機７０との間でデータの授受を行うモデム６０と、基地局用無線機７０とから構成される。
【０００３】
また移動局１００は移動局用無線機３０と、ＧＰＳアンテナ２２に接続されたＧＰＳオプション２０と、ＧＰＳオプション２０に接続されたスイッチボックス１０と、ＧＰＳオプション２０及び移動局用無線機３０に接続された録音・再生ユニット４０とから構成される。
ＧＰＳオプション２０は移動局１００の現在位置を認識するために用いられる。
スイッチボックス１０は基地局２００からの指令を確認すると共に、基地局２００との間で通信操作を行うために用いられる。
録音・再生ユニット４０は基地局からの通信内容を録音・再生するために用いられる。
【０００４】
基地局２００および移動局１００のいずれにも通信用モデムが設けられているが、移動局１００ではＧＰＳオプション２０に内蔵されている。
なお複数の移動局１００にはそれぞれを識別するために異なる識別標識ＩＤが付与されており、基地局２００からこのＩＤを含む指令信号を送信することにより当該ＩＤを付与された移動局１００のみがこれに応答することができるように構成されている。
ＡＶＭでは、基地局２００が特定の移動局１００とのみ通話ができるようにその特定の移動局を識別するＩＤを付して移動局１００を呼出す。
この場合、次のような応答操作を必要とする。
【０００５】
基地局２００から指示したい移動局１００に対してＰＣ５０により配車指示（応答要求）コマンドを入力し、無線機７０により送信する。
各移動局１００の選択はＩＤによって行われ、このＩＤは各移動局１００のＧＰＳオプション２０に登録されている。
従って複数の移動局１００が同一の周波数を使用してＩＤによって区別される。
コマンドを受信した該当ＩＤを持つ移動局１００は、モデムを介したスイッチボックス１０等のブザーやＬＥＤまたはＬＣＤの表示により配車指示されている情報をドライバーに知らせる。
【０００６】
ドライバーはスイッチボックス１０内の応答に対応するキーを押下し、基地局２００からの指示を待つ。
また配車指示された移動局１００のみオーディオ・ミュートが解除され基地局２００の送信内容（音声）を聞くことができる。
なおオーディオ・ミュートの解除は移動局１００内のＧＰＳオプション２０によりＩＤを認識することにより制御する。
録音・再生ユニット４０はユニット単体で録音・再生ボタンを有しており、基地局２００からの呼出しに対してタクシーのドライバー（移動局１００）は基地局からの通信内容を録音したり再生したりすることができる。
この場合、通信内容を録音したい場合にはまず呼出しに対する応答操作において操作キーを有するスイッチボックス１０内のスイッチを押下し、次に録音・再生ユニット４０の録音ボタンを押下するという２つの操作を行う。
【０００７】
【発明が解決しようとする課題】
このように従来のＡＶＭにおいては、基地局からの通信内容を録音するに際して呼出しに対する応答操作と録音ボタンを押すという２つの操作を必要とし、操作に煩わしさがあった。
本発明は上述した問題点を解消するためになされたもので、基地局からの通信内容の録音に際してスイッチ操作を簡略化した録音・再生装置を提供することを目的とする。
【０００８】
【課題を解決するための手段】
本発明は、無線機を備えた移動局と基地局とから構成される配車管理システムの前記移動局に搭載され、前記基地局からの通信内容を録音・再生する録音・再生装置において、前記移動局が、前記基地局から前記移動局への選択呼出しに対する応答を表わす信号を出力する第１手段と、自局が選択された場合のみにオーディオ・ミュートの解除を表わす信号を出力する第２手段と、前記無線機のスケルチの存在を表わす信号を出力する第３手段と、遅延回路とを備え、前記第１手段〜第３手段の出力がすべてアクティブ・レベルになった時録音実行信号を出力して録音を開始し、前記第１手段〜第３手段の出力がすべてアクティブ・レベルになっている間録音を行い、前記第１手段〜第３手段の出力のうちいずれかが短時間アクティブ・レベルでなくなった場合でも、前記遅延回路が、前記録音実行信号の出力レベルを前記第１手段〜第３手段の出力がすべてアクティブ・レベルの時と同一のレベルに維持して録音を継続するようにしたものである。
【００１０】
【発明の実施の形態】
図１は本発明に係る録音・再生装置の実施の形態を示す回路図である。
スイッチボックス１０内には基地局からの呼出しに応答するためのキースイッチ１１が設けられている。
またスイッチボックスと無線機３０とを結合するＧＰＳオプション２０内にはＣＰＵ２１が設けられている。
また無線機３０内にはＣＰＵ３１が設けられ、スケルチの有無を出力するよう構成されている。
また録音・再生ユニット４０内には３入力ＮＡＮＤ回路４１と録音・再生ＩＣ４２が設けられている。
移動局は基地局からの選択呼出しを受けるとキースイッチ１１を押下する。
【００１１】
このキースイッチ１１の出力はＧＰＳオプションのＣＰＵ２１に入力される。ＧＰＳオプション２０のＣＰＵ２１には少なくとも２つの出力ポートが設けられている。
第１のポートはキースイッチ１１が押下された場合に、基地局から移動局への選択呼出しに対する応答があったことを表わす信号２３を出力するポートである。
この場合、キースイッチ１１の押下によりポートのレベルがＬからＨまたはＨからＬにレベル変化する。
【００１２】
基地局は該当する移動局がキースイッチ１１の操作を行ったことを確認してから送信を開始する。
基地局は選択呼出しを行っているため、その後の音声送信はＩＤにより選択された移動局のみが聞くことができる。
第２のポートは移動局が自局が選択された場合にのみオーディオ・ミュートを解除するための信号２４を出力するポートである。
この第２のポートからオーディオ・ミュートを解除するレベル変化を伴った信号２４が出力される。
【００１３】
また無線機のＣＰＵ３１にはスケルチの開・閉をＨ，Ｌのレベル変化として出力するポートを設けこのポートからスケルチの開・閉を表わす信号３２を出力させるようにする。
ＧＰＳオプション２０のＣＰＵ２１と無線機３０のＣＰＵ３１とは信号線２５により結合されている。
これらの３つの出力ポートの信号は録音・再生ユニット４０内に設けられている３入力ＮＡＮＤ回路４１に入力される。
従ってこれらの３出力ポートすべてがハイ・レベルになった時、ＮＡＮＤゲート回路４１の出力ＲＥＣ／バーはローレベルとなる。
【００１４】
この出力レベルＲＥＣ／バーがローレベルになった時、録音・再生ＩＣ４２が動作するようにしておけば受信検波出力３３が録音・再生ＩＣ４２によって録音される。
これにより選択呼出しをされた移動局１００はキースイッチ１１を押下し、その後基地局２００からの音声送信を受信すると自動的に録音・再生ＩＣ４２が録音動作を開始する。
この録音・再生ＩＣ４２のＲＥＣ／バー端子は録音動作をしている間はずっとロー・レベルにしておく必要があるので、基地局が送信を止めると自動的に録音動作を停止するようにする。
ここで移動局は指示を受けたことを確認するためのスイッチを押し、再び指示されるまで録音内容を保存できるように構成しておく。
従って、このスイッチを押すことによって応答キーのポートがロー・レベルになる。
【００１５】
このように本発明では移動局のＧＰＳオプションのＣＰＵ２１に応答キーを押したか否かの状態をＨ，Ｌレベルで出力するポートと、自局が選択され受信した時のみオーディオ・ミュートを解除するための信号をＨ，Ｌレベルで出力するポートとを設け、無線機のＣＰＵ３１にスケルチの開・閉をＨ，Ｌレベルで出力するポートを設けることにより、これらすべてのポートがハイ・レベルになった時のみ録音・再生ＩＣ４２を録音状態にさせることができる。
この状態はポートがすべてアクティブ・レベルになったことを意味する。すなわち、アクティブ・レベルとは正論理の時にはハイ・レベルを、負論理の時にはロー・レベルを意味し、その状態において所定の動作を開始させる。
【００１６】
従って基地局がある移動局を選択呼出しし、その移動局がスイッチボックス１０内のキースイッチ１１を押せばその後の自局からの音声を受信している間はその受信内容を自動的に録音することができる。
なお録音動作の停止は上述した３つのポートのうちのいずれか１つでもロー・レベルになった時に起こる。
従って配車指示の手順上誤って基地局がマイクのプレストークスイッチ（ＰＴＴ）を離してしまったり、言い忘れたことがあり指示の追加を要するときなどがあると、先に録音した内容が上書きされてしまうことがありうる。
【００１７】
図２はこのような事態を防止するための実施の形態を示す回路図である。
録音・再生ＩＣ４２とＮＡＮＤ回路４１との間に遅延回路４３を設けて遅延時間を所定の長さに設定しておけば、図３に示すようにＮＡＮＤ回路４１の出力ＲＥＣ′／バーが短時間変化しても遅延回路４３の出力ＲＥＣ／バーは所定のスレッショルドレベル以下に所定時間だけ留まるため、ロー・レベルが維持され不用意な録音内容の消去を防ぐことが可能となる。
【００１８】
【発明の効果】
以上実施の形態に基づいて詳細に説明したように本発明では３つのポートのすべてがハイ・レベルになった時のみ録音・再生ユニットで録音を開始するようにしたため、基地局からの通信内容を録音するに際してスイッチ操作が１回で済むため操作の簡略化が実現できる。
【図面の簡単な説明】
【図１】本発明に係る録音・再生装置の実施の形態を示す回路図。
【図２】本発明の他の実施の形態を示す回路図。
【図３】図２の動作を説明するための波形図。
【図４】配車管理システムの構成を示す図。
【符号の説明】
１１    キースイッチ
２１    ＧＰＳオプションのＣＰＵ
３１    無線機のＣＰＵ
４１    ＮＡＮＤ回路
４２    録音再生ＩＣ
２３    応答キーの状態を示す信号
２４    オーディオ・ミュートの解除を表わす信号
３２    スケルチの開・閉
３３    受信検波出力
４３    遅延回路
【図１】
0003870008.tif 000002
【図２】
0003870008.tif 000003
【図３】
0003870008.tif 000004
【図４】
0003870008.tif 000005